(57)【要約】      （修正有）【課題】優れた装飾性および照明効果を備えたペットボトル製品を提供する。【解決手段】飲料などの内容物Ｃを収納したペットボトル本体１０と、ペットボトル本体１０を密閉したキャップ体２０と、ペットボトル本体１０の底面１１に使用時に取付けられる発光装置３０を備える。発光装置３０は、肉薄平板状で柔軟性があり、中央部を除く外周部の上面を接着面とした貼着基材３１と、貼着基材３１の中央部の上面に固定された肉薄平板状で硬質な固定基板３２と、貼着基材３１の接着面に剥離自在に接着した剥離シート３３と、固定基板３２の上面に設けられた少なくとも一つのボタン電池３４と、固定基板３２の上面に、ボタン電池３４に近接して設けられた少なくとも一つのＬＥＤ３５と、固定基板３２の下面に設けられ、貼着基材３１の下面から操作されるタッチスイッチ３６を備える。【選択図】図１
0003194467.tif 000002
【実用新案登録請求の範囲】
【請求項１】
飲料などの内容物（Ｃ）を収納したペットボトル本体（１０）と、
前記ペットボトル本体を密閉したキャップ体（２０）と、
前記ペットボトル本体の底面（１１）に使用時に取付けられる発光装置（３０）と、を備え、
前記発光装置は、
肉薄平板状で柔軟性があり，中央部を除く外周部の上面を接着面（３１ａ）とした貼着基材（３１）と、
前記貼着基材の中央部の上面に固定された肉薄平板状で硬質な固定基板（３２）と、
前記貼着基材の接着面に剥離自在に接着した剥離シート（３３）と、
前記固定基板の上面に設けられた少なくとも一つのボタン電池（３４）と、
前記固定基板の上面に，前記ボタン電池に近接して設けられた少なくとも一つのＬＥＤ（３５）と、
前記固定基板の下面に設けられ，前記貼着基材の下面から操作されるタッチスイッチ（３６）と、を備えることを特徴とする発光装置付きペットボトル製品。
【請求項２】
飲料などの内容物（Ｃ）を収納したペットボトル本体（１０）と、
前記ペットボトル本体を密閉したキャップ体（２０）と、
前記ペットボトル本体の底面（１１）に使用時に取付けられる発光装置（３０）と、を備え、
前記発光装置は、
肉薄平板状で柔軟性があり，中央部を除く外周部の上面を接着面（３１ａ）とした貼着基材（３１）と、
前記貼着基材の中央部の上面に固定された肉薄平板状で硬質な固定基板（３２）と、
前記貼着基材の接着面に剥離自在に接着した剥離シート（３３）と、
前記固定基板の上面に設けられた少なくとも一つのボタン電池（３４）と、
前記固定基板の上面に，前記ボタン電池に近接して設けられた少なくとも一つのＬＥＤ（３５）と、
前記固定基板の下面に設けられ，前記貼着基材の下面から操作されるタッチスイッチ（３６）と、を備え、
前記発光装置のＬＥＤは，前記タッチスイッチを押す回数によって，点灯と，点滅周期の異なる複数の点滅を行うものであり、
前記発光装置の剥離シートは，剥離用の切れ目（３３ａ）を有することを特徴とする発光装置付きペットボトル製品。
【考案の詳細な説明】
【技術分野】
【０００１】
本考案は、発光装置を備えたペットボトル製品に関するものである。
【背景技術】
【０００２】
近年、天然水やジュース類などの各種の飲料を収納したペットボトル製品が数多く販売されている。これらのペットボトル製品は、従来のガラス瓶製品等と比較して安価で軽量でありその取扱いが容易であるため、一般家庭内のみでなく、例えば、お祭り会場や各種のイベント会場といった多くの人々が楽しく集う場所でも数多く飲用されている。
【０００３】
通常、こうしたペットボトル製品はボトル本体の周壁にプラスチック製のラベルを巻き付け、そのラベルにボトル本体に収納した内容物や販売会社等を記載しているに留まっている（例えば、特許文献１参照）。従って、必ずしも装飾性に優れているとは言えない。
【０００４】
特に、お祭り会場などの多くの人々が楽しく集う場所には華やかさが必要であるが、ペットボトル製品が持つ装飾性によってその華やかさの一部を演出できればそうしたお祭り会場などをさらに盛り上げることができる。
【０００５】
一方、最近の気象状況の変動による大雨災害などによって、急な停電が頻繁に発生している。その際、懐中電灯あるいはそれに代わる照明器具が手元にあれば便利である。
【先行技術文献】
【特許文献】
【０００６】
【特許文献１】特開２００６−１９３２０７号公報
【考案の概要】
【考案が解決しようとする課題】
【０００７】
ペットボトル製品に装飾性を持たせる手段としては、色や絵柄などに工夫を凝らした装飾効果の高いラベルを使用することが考えられるが、例えば、夜間などではその効果に自ずと限界がある。
【０００８】
また、急な停電が発生した場合、屋内では比較的容易に懐中電灯を準備できるものの、屋外ではそれが困難である。
【０００９】
本考案の考案者らはこうした点に鑑みて研究を重ねた結果、ラベル以外の使用によって優れた装飾性を備え、かつ、懐中電灯のような照明効果を備えたペットボトル製品を創案するに至った。ここに、本考案は優れた装飾性および照明効果を備えたペットボトル製品を提供することを課題とする。
【課題を解決するための手段】
【００１０】
図１乃至図６を参照して説明する。請求項１に記載の発光装置付きペットボトル製品１は、飲料などの内容物Ｃを収納したペットボトル本体１０と、前記ペットボトル本体１０を密閉したキャップ体２０と、前記ペットボトル本体１０の底面１１に使用時に取付けられる発光装置３０とを備える。
【００１１】
また、前記発光装置３０は、肉薄平板状で柔軟性があり、中央部を除く外周部の上面を接着面３１ａとした貼着基材３１と、前記貼着基材３１の中央部の上面に固定された肉薄平板状で硬質な固定基板３２と、前記貼着基材３１の接着面３１ａに剥離自在に接着した剥離シート３３と、前記固定基板３２の上面に設けられた少なくとも一つのボタン電池３４と、前記固定基板３２の上面に、前記ボタン電池３４に近接して設けられた少なくとも一つのＬＥＤ３５と、前記固定基板３２の下面に設けられ、前記貼着基材３１の下面から操作されるタッチスイッチ３６とを備える。
【００１２】
請求項２に記載の発光装置付きペットボトル製品１は、飲料などの内容物Ｃを収納したペットボトル本体１０と、前記ペットボトル本体１０を密閉したキャップ体２０と、前記ペットボトル本体１０の底面１１に使用時に取付けられる発光装置３０とを備える。
【００１３】
また、前記発光装置３０は、肉薄平板状で柔軟性があり、中央部を除く外周部の上面を接着面３１ａとした貼着基材３１と、前記貼着基材３１の中央部の上面に固定された肉薄平板状で硬質な固定基板３２と、前記貼着基材３１の接着面３１ａに剥離自在に接着した剥離シート３３と、前記固定基板３２の上面に設けられた少なくとも一つのボタン電池３４と、前記固定基板３２の上面に、前記ボタン電池３４に近接して設けられた少なくとも一つのＬＥＤ３５と、前記固定基板３２の下面に設けられ、前記貼着基材３１の下面から操作されるタッチスイッチ３６とを備える。
【００１４】
さらに、前記発光装置３０のＬＥＤ３５は、タッチスイッチ３６を押す回数によって、点灯と、点滅周期の異なる複数の点滅を行う機能を備える。また、前記発光装置３０の剥離シート３３は剥離するための切れ目３３ａを有する。
【考案の効果】
【００１５】
請求項１に記載の発光装置付きペットボトル製品１は、ペットボトル本体１０の底面１１に取り付けられる発光装置３０の発光機能によって優れた装飾効果を発揮することができる。すなわち、ペットボトル本体１０に収納した飲料などの内容物Ｃに、発光装置３０からの光が透過しあるいは反射するので、光と内容物Ｃとの融合作用によって高い装飾効果を発揮することができる。
【００１６】
また、当該発光装置３０の発光機能によって、停電時等においては懐中電灯のような照明効果を発揮することができる。
【００１７】
請求項２に記載の発光装置付きペットボトル製品１は、請求項１に記載の考案と同様に、ペットボトル本体１０の底面１１に取り付けられる発光装置３０によって、優れた装飾効果および照明効果を発揮することができる。
【００１８】
また、発光装置３０は、点灯と点滅を行うので、状況に合った装飾効果あるいは照明効果を現出させることができる。さらに、剥離シート３３は切れ目３３ａを有するので、この切れ目３３ａによって当該剥離シート３３を容易に剥がすことができる。
【図面の簡単な説明】
【００１９】
【図１】本考案に係る発光装置付きペットボトル製品の実施形態を示す正面図である（ペットボトル本体に発光装置を取付ける前の状態）。
【図２】本考案に係る発光装置付きペットボトル製品の実施形態を示す正面一部拡大断面図である（ペットボトル本体に発光装置を取付けた状態）。
【図３】図２に示す製品の底面図（発光装置の下面図）である。
【図４】図３に示す発光装置の上面図（平面図）である。
【図５】本実施形態に係るペットボトル製品を照明器具として使用している状態を示す説明図である。
【図６】本実施形態に係るペットボトル製品における発光装置の電気系統図を示す説明図である。
【考案を実施するための形態】
【００２０】
本考案に係る発光装置付きペットボトル製品１の実施形態を、図１乃至図６に示す。この製品１は、ペットボトル本体１０、キャップ体２０および使用時に取付けることの出来る発光装置３０を備える。
【００２１】
ペットボトル本体１０は透明であり、内容物（天然水）Ｃを収納しており、底面部分には凹部１１ａを有する。キャップ体２０は、ペットボトル本体１０の口部に螺合組付きして、当該ペットボトル本体１０を密閉する。また、発光装置３０は、当該製品１の購入者によってペットボトル本体１０の底面１１に取付けられる（販売時には、ペットボトル本体１０の底面１１に取り付けられていない）。
【００２２】
この発光装置３０は、貼着基材３１、固定基板３２、剥離シート３３、複数（二つ）のボタン電池３４、複数（四つ）のＬＥＤ（発光ダイオード）３５、およびタッチスイッチ３６を備える。
【００２３】
貼着基材３１は、平板で円盤状の肉薄な柔軟性のある紙製（あるいは樹脂製）であり、その中央部を除く外周部の上面を接着面３１ａとしている。固定基板３２は、平板で円盤状の肉薄かつ硬質性であり、貼着部材の中央部の上面に固定される。剥離シート３３は紙あるいは樹脂などの柔軟性素材で形成され、貼着基材３１の接着面３１ａに剥離自在に接着されている。
【００２４】
なお、この剥離シート３３には剥離用の切れ目３３ａが形成されている。また、貼着基材３１の下面には、固定基板３２に設けられたタッチスイッチ３６の位置を示す印部３１ｂを設けている。タッチスイッチ３６を外から視認することができないためである。
【００２５】
二つのボタン電池３４は固定基板３２の上面の左右に設けられている。四つのＬＥＤ３５は、同じ固定基板３２の上面に、二つのボタン電池３４に近接して、当該ボタン電池３４を挟むように設けられている。タッチスイッチ３６は、固定基板３２の中央部分の下面に設けられており、貼着基材３１の下面から操作される。
【００２６】
なお、本実施形態における発光装置３０のＬＥＤ３５は、タッチスイッチ３６を押す回数によって、点灯と、点滅周期の異なる複数の点滅を行う。すなわち、消滅状態から１回押すと短い点滅周期で点滅し、この状態でさらに押すと長い点滅周期で点滅する。また、この状態でさらに押すと連続して点灯し、またさらに押すと消滅する。タッチスイッチ３６の操作と、点滅、点灯および消滅との関係は限定されるものではなく、適宜設定することが可能である。なお、ＬＥＤ３５は、白色光、赤色光、青色光あるいは緑色光を発するものを使用することができる。
【００２７】
本実施形に係る発光装置付きペットボトル製品１は、次のようにして取り扱うことができる。まず、発光装置３０をペットボトル本体１０の底面１１に取り付けるために、貼着基材３１の剥離シート３３を剥がして接着面３１ａを露出させる。この際、剥離シート３３に形成されている切れ目３３ａから剥がすことによって、当該剥離シート３３を容易に剥離することができる。
【００２８】
次に、貼着基材３１の接着面３１ａを、ペットボトル本体１０の底面１１に貼り付ける。貼着基材３１は柔軟性があるので容易に貼り付けることができる。この状態では、貼着部材３１の接着面３１ａが底面１１に貼り付き、固定基板およびそれに取り付けられているボタン電池３４、ＬＥＤ３５、タッチスイッチ３６は凹部１１ａに収納した状態で配置される。
【００２９】
また、これにより、発光装置３０の固定基板３２およびその固定基板３２に設けられているボタン電池３４とＬＥＤ３５が、ペットボトル本体１０の底面１１側に配置され、固定基板３２の下面に設けられているタッチスイッチ３６が貼着基材３１の下面から操作できる状態となる。
【００３０】
この状態から発光装置３０を駆動させるためには、タッチスイッチ３６を押す。これにより、当該発光装置３０の電気系統に従って（図６参照）、ＬＥＤ３５が短い点滅周期で点滅し、その光がペットボトル本体１０に収納されている内容物（天然水）Ｃを透過し、あるいは反射して装飾効果を現出する。また、タッチスイッチ３６をさらに押すと、ＬＥＤ３５が長い点滅周期で点滅を開始する。これにより、短い周期の点滅とは異なった装飾効果を現出する。
【００３１】
この状態からタッチスイッチ３６を押すと連続した点灯を行い、さらに異なる装飾効果を現出する。なお、この連続した点灯状態における照射光Ｌは、停電時等において懐中電灯などの照明器具の照明光としての機能を発揮する（図５参照）。特に、白色光を点灯するＬＥＤ３５を使用した場合に、高い照明効果を得ることができる。
【００３２】
本実施形態に係る発光装置付きペットボトル製品１は、以下の作用効果を発揮する。
（イ）ペットボトル本体１０に収納した内容物（天然水）Ｃに、ＬＥＤ３５からの光が透過しあるいは反射するので、光と内容物Ｃとの融合作用によって高い装飾効果を発揮する。
【００３３】
（ロ）ＬＥＤ３５を点滅あるいは連続点灯させることによって、それぞれが異なる装飾効果を発揮する。
（ハ）ＬＥＤ３５を連続点灯させることによって照明効果を得ることができる。従って、当該製品１を停電時等には照明としても使用することができる。特に、ペットボトル本体１０の内容物Ｃを天然水のような透明な飲料水とし、白色光を発するＬＥＤ３５を使用することにより、照明効果をさらに高めることができる。
【００３４】
（ニ）貼着シートは肉薄円盤状で柔軟性があるので、ペットボトル本体１０の底面１１に、その形状に対応して密着させることができる。従って、発光装置３０をペットボトル本体１０に強固に取り付けることができる。
（ホ）固定基板３２は硬質であるため、ボタン電池３４、ＬＥＤ３５およびタッチスイッチ３６を安定して支持することができる。また、タッチスイッチ３６の押圧操作を確実に行うことができる。
【００３５】
（ヘ）剥離シート３３を剥がすことによって貼着基材３１の接着面３１ａを露出させることができるので、発光装置３０をペットボトル本体１０に容易に取り付けることができる。
（ト）剥離シート３３には切れ目３３ａを形成しているので、当該剥離シート３３を貼着基材３１から容易に剥がすことができる。
【００３６】
（チ）発光装置３０の電気系統部分（ボタン電池３４、ＬＥＤ４５およびタッチスイッチ３６）をペットボトル本体１０の凹部１１ａに収納状態で配置しているので、これらの電気系統部分が外力によって損傷するのを防止することができる。
（リ）印部３１ｂを設けたので、視認できないタッチスイッチ３６を確実に操作することができる。
【符号の説明】
【００３７】
１        発光ペットボトル製品
１０      ペットボトル本体
１１      底面
１１ａ    凹部
２０      キャップ体
３０      発光装置
３１      貼着基材
３１ａ    接着面
３１ｂ    印部
３２      固定基板
３３      剥離シート
３３ａ    切れ目
３４      ボタン電池
３５      ＬＥＤ
３６      タッチスイッチ
Ｃ        内容物
Ｌ        照射光
【図１】
0003194467.tif 000003
【図２】
0003194467.tif 000004
【図３】
0003194467.tif 000005
【図４】
0003194467.tif 000006
【図５】
0003194467.tif 000007
【図６】
0003194467.tif 000008